(57)【特許請求の範囲】
【請求項１】
扉の開閉を電磁錠で行う複数の収納ボックスを有する集合型貴重品保管装置において、
利用者に空いている収納ボックスと操作方法を表示し、利用者が選択した収納ボックス番号を入力する操作・表示部と、
スコアカードホルダーに内蔵されたＲＦＩＤタグと通信を行い、当該ＲＦＩＤタグのＩＤデータを読み取るリーダライタと、
人体の特徴を収集する人体特徴認識センサーと、
施錠時に上記リーダライタによって読み取られたＩＤデータ、上記利用者が選択した収納ボックス番号および上記人体特徴認識センサーによって収集された人体特徴データを処理・記憶するコンピュータとを備え、
暗証番号を使用することなく、解錠時に収集したＩＤデータおよび人体特徴データを施錠時に収集した上記ＩＤデータおよび人体特徴データと対照して一致時に上記利用者が選択した収納ボックスの扉の電磁錠を解錠することを特徴とする集合型貴重品保管装置。
【発明の詳細な説明】
【技術分野】
【０００１】
本発明は、暗証番号を使用することなく、指紋、虹彩模様認識センサー等の人体特徴認識センサー・データと、ＩＣカードに組み込まれたＲＦＩＤタグに格納されているＩＤデータとにより施錠・解錠を行う集合型貴重品保管装置に関するものである。
【背景技術】
【０００２】
ゴルフ場やフィットネスクラブのように不特定多数の客が来場し、客が施設に滞在中に貴重品を身から離さざるを得ない状況が生じる場所では、暗証番号を入力して施錠・解錠を行う集合型の貴重品保管装置が設置されている。
【０００３】
特にゴルフ場においては、プレーフィーが高額であり、客が多額の現金やカード類を持参するために、客の貴重品の取り扱いは重要である。客も多額の現金やクレジットカードを入れた財布を持参する必要があるにも拘わらず、プレーする際には財布を持ち歩くと邪魔で紛失のおそれがあるので、ゴルフ場が貴重品袋を用意して客の貴重品を預かるか、上記暗証番号をキーとした集合型の貴重品保管装置をフロント近くに設置して客に利用させている。
【０００４】
昨今では、ゴルフ場は貴重品を預かる手間を省くため集合型の貴重品保管装置を設置する傾向がある。
【０００５】
貴重品保管装置の鍵としては、利用者に現物の鍵を渡すと紛失に伴う盗難の危険や、鍵管理の煩雑さから、利用者に暗証番号を入力させる方法や、指紋認識センサーなどの人体特徴認識センサーで収集した人体特徴データを利用して施錠・解錠を行う装置が、下記特許文献に開示されているように、貴重品保管装置などに応用されている。
【特許文献１】特開２００５−１８５６２８号公報
【発明の開示】
【発明が解決しようとする課題】
【０００６】
しかし、従来の貴重品保管装置においては、客が暗証番号を入力しなければならないので、操作手順が多く、また暗証番号を失念しないように生年月日や電話番号を設定している客が後を絶たないため、第三者に暗証番号を把握される場合があり、盗難の一因となっている。
【０００７】
また、最初に暗証番号を入力するときに、キー操作を誤って、客が思い込んでいる暗証番号とは異なる暗証番号を入力してしまうと、貴重品を取り出すときに、客が思い込んでいる暗証番号を入力しても解錠できなくなることがあった。
【０００８】
このように、客が貴重品保管装置の操作を誤ることからくるトラブルや、第三者が巧妙な手段により貴重品保管装置の暗証番号を把握して貴重品を盗み取る例が後を絶たず、場合によっては、ゴルフ場の従業員が盗みに加わるような悪質な事例もあり、貴重品の管理に関する安全性や管理責任の所在について社会問題化しているのが現状である。
【０００９】
そこで、本発明は、このような暗証番号を使用することに基づく貴重品の保管・管理に関する問題点を解決するために考えられたものである。
【課題を解決するための手段】
【００１０】
本発明の集合型貴重品保管装置は、扉の開閉を電磁錠で行う複数の収納ボックスを有する集合型貴重品保管装置において、利用者に空いている収納ボックスと操作方法を表示し、利用者が選択した収納ボックス番号を入力する操作・表示部と、スコアカードホルダーに内蔵されたＲＦＩＤタグと通信を行い、当該ＲＦＩＤタグのＩＤデータを読み取るリーダライタと、人体の特徴を収集する人体特徴認識センサーと、施錠時に上記リーダライタによって読み取られたＩＤデータ、上記利用者が選択した収納ボックス番号および上記人体特徴認識センサーによって収集された人体特徴データを処理・記憶するコンピュータとを備え、暗証番号を使用することなく、解錠時に収集したＩＤデータおよび人体特徴データを施錠時に収集した上記ＩＤデータおよび人体特徴データと対照して一致時に上記利用者が選択した収納ボックスの扉の電磁錠を解錠するものである。
【発明の効果】
【００１１】
本発明の集合型貴重品保管装置によると、客がスコアカードホルダーをリーダライタに接近させることと、指を指紋リーダーに当てるだけで操作が完了するので、操作が簡単である。暗証番号を使用しないので、暗証番号に関係する問題を生ずることがなく、安全性が高い。ＲＦＩＤタグのＩＤデータはその都度、書き換えるように構成すると、安全で繰り返しの利用が可能であり、簡便で経済的である。
【発明を実施するための最良の形態】
【００１２】
本発明の集合型貴重品保管装置は、図１の斜視図に示すように、筐体本体１と、この筐体本体１の正面に配列された複数の扉21付き収納ボックス２と、操作・表示部３と、指紋リーダー５と、コンピュータ６よりなる制御装置（図６参照）と、スコアカードホルダー７と、ＲＦＩＤタグ８（図６、図７参照）とにより構成されている。
【００１３】
筐体本体１の正面のほぼ中央には、図２に拡大して示すように、操作・表示部３にはタッチパネル31およびリーダライタ４が設けられ、さらに指紋リーダー５が設けられており、筐体本体１の下部にはコンピュター６よりなる制御装置および電源装置など（図示せず）が収納されている。
【００１４】
収納ボックス２は、財布や鍵などの貴重品を収めるために、その開口部は片手が入るくらいの大きさであるが、通常の収容ボックス２の２つ分のスペースを占めるような、適宜に大きさを変更した収納ボックス２も使用されている。各開口部には扉21を備えており、扉21を施錠・解錠する電磁錠（図示していない）が設けられている。各扉21の表面には使用中か未使用かを表示するＬＥＤなどの表示器22が設けられている。なお、各扉21に表示器22を設けることなく、タッチパネル31のみに使用中か未使用かを表示してもよいのである。
【００１５】
操作キーとして、指紋、虹彩模様認識センサー等の人体特徴認識センサーで収集した人体特徴データと、ＩＣチップ81を組み込んだＲＦＩＤを利用したＲＦＩＤタグ８に格納されているＩＤデータとを用いる。このＲＦＩＤタグ８（図７参照）は、スコアカードホルダー７に一体化して取り付けられている。
【００１６】
操作・表示部３は、収納ボックス２の縦方向２つ分または３つ分のスペースを用いて、利用者が操作し易く、周囲から覗かれないようにように筐体本体１の中央で奥まった状態に配置し、５.７インチ程度の大きさのタッチパネル31を利用し、利用者に操作方法を表示するとともに、利用者に収納ボックス２の選択および指定を行わせる。
【００１７】
操作・表示部３の上方にはリーダライタ４が設けられ、操作・表示部３の中央にはタッチパネル31が設けられ、下部には人体の生態特徴データを収集する指紋リーダー５が設けられている。また、人の接近を感知する人体センサー、音声案内用スピーカーなどが適宜配置してもよいのである。生態特徴データを収集する手段として、指紋のほかに掌紋、掌の血管模様、顔の輪郭、目の虹彩の模様などを利用することができる。
【００１８】
指紋リーダー５は、個人に特有な指紋のパターンを収集し、収集した指紋のパターンを個人データとしてコンピュータ６で処理してメモリーに格納し、再度指紋リーダー５に触れた人の指紋データとの一致・不一致を判断して同一人物であるか否かを確認するものである。
【００１９】
もう一つの操作キーとしてＲＦＩＤを用いる。図６および図７の概略図に示すように、ＲＦＩＤ（Radio Frequency Identificationの略）は、ＩＣチップ81およびアンテナ82を有し、リーダライタ４と無線によって交信することにより非接触で、ＩＣチップ81のメモリに格納されているデータを読み書きするもので、遮蔽物を透過して読み書きが可能であり、セキュリティに優れている。
【００２０】
合成樹脂を成型したＲＦＩＤタグ８の内部は、フィルム基板に形成されたコイル状のアンテナ82と、このアンテナ82に接続されたＩＣチップ81とにより構成される。ＩＣチップ81には、記憶部、電源整流部、送信部、受信部を具備している。そして、この合成樹脂を成型したＲＦＩＤタグ８をスコアカードホルダー７に挟み込んで使用するか、スコアカードホルダー７と一体化してもよいのである。
【００２１】
ＲＦＩＤは、物や人の個体ＩＤデータを管理するＲＦＩＤタグ８と、そのＩＤデータを認識・制御するリーダライタ４と、情報処理を行うコンピュータ６とにより構成される。電池を内蔵しないＲＦＩＤタグ８は、リーダライタ４のアンテナ41から放射される電波を受信して整流し、動作電源とすることにより、ＩＣチップ81にデータを登録、またデータを返送する。
【００２２】
リーダライタ４は、操作・表示部３内の上部に斜めに取り付けられており、ＲＦＩＤタグ８と交信するアンテナ41とコントローラー42とにより構成され、コントローラー42はコンピュータ６に接続されている。
【００２３】
次に、このように構成された集合型貴重品保管装置の利用手順を説明する。
【００２４】
来場した客が、フロントにおいてチェックインをすると、客にＲＦＩＤタグ８を備えたスコアカードホルダー７を貸与する。このスコアカードホルダー７には、ロッカーキーが付けられていることもあり、客一人毎に一枚割り当てられる。
【００２５】
集合型貴重品保管装置を利用したい客が接近すると、人体センサーが感知して、音声案内動作を開始する。
【００２６】
(１)音声案内にしたがって、利用者が、ＲＦＩＤタグ８を備えたスコアカードホルダー７をリーダライタ４のアンテナ41に接近させると、ＲＦＩＤタグ８がリーダライタ４からの電波を受信して起電力が発生するので、ＩＣチップ81が起動してメモリに既に格納されているＩＤデータを送信する。
【００２７】
(２)リーダライタ４側で受信したＲＦＩＤタグ８のＩＤデータが、コンピュータ６に伝送されると、利用者が来たものと判断して、タッチパネル31に収納ボックス２の空き状態を表示する。
【００２８】
(３)利用者が、タッチパネル31に触れることにより、空いている収納ボックス２の選択を促す。
【００２９】
(４)利用者が収納ボックス２を選択すると、指紋リーダー５に指先を押し付けるように促す。指紋リーダー５に利用者が指先を押し付けることにより指紋データの収集が完了すると、この指紋データと、ＩＣチップ81のＩＤデータと、選択された収納ボックス２の番号とを関連付けて、コンピュータ６のメモリーに格納する。
【００３０】
(５)そして、利用者が選択した収納ボックス２の電磁錠を解錠して、その収納ボックス２の表示器22を点滅させる。
【００３１】
(６)利用者が解錠された収納ボックス２に貴重品を入れて扉21を閉めると電磁錠が施錠される。このように、収納ボックス２の扉21が開かれたのち、扉21が閉められると施錠して利用状態になると、この収納ボックス２が利用状態になったことをコンピュータ６に伝送して記憶させるとともに、当該収納ボックス２の表示器22を連続点灯させる。
【００３２】
(７)利用者が収納ボックス２から貴重品を取り出す際には、利用者が集合型貴重品保管装置に接近すると、人体センサーが感知して、音声案内動作を開始する。音声案内にしたがって、利用者が、ＲＦＩＤタグ８を備えたスコアカードホルダー７をリーダライタ４のアンテナ41に接近させると、ＲＦＩＤタグ８がリーダライタ４からの電波を受信して起電力が発生するので、ＩＣチップ81が起動してメモリに既に格納されているＩＤデータをコンピュータ６に伝送する。
【００３３】
(８)コンピュータ６においてＩＣチップ81のＩＤデータを認識すると、指紋リーダー５に指先を押し付けるよう促す。指紋リーダー５に利用者が指先を押し付けることにより指紋データの収集が完了すると、先に収集した指紋データおよびスコアカードホルダー７のＩＤデータとを対照して一致していると、先に利用者が選択した番号の収納ボックス２の電磁錠を解錠する。
【００３４】
(９)利用者が、表示器22が点滅している収納ボックス２の扉を開いて、貴重品を取り出したのち扉を閉じると、一連の操作は終了する。そして、その収納ボックス２の表示器22を消灯させる。
【００３５】
また、当日中、１つの収納ボックス２の利用を一人の利用者に限定するように構成しておくと、スコアカードホルダー７をリーダライタ４のアンテナ41に接近させてから、指紋リーダー５に指先を押し付ける操作により、何度でも扉21を解錠して貴重品の出し入れが可能である。
【００３６】
以上で説明した実施形態においては、ＩＣチップ81のＩＤデータを書換えることなく継続して使用しているが、１回の利用毎に任意のデータに書換えて使用するように構成しておくと、セキュリティを向上させることができる。
【００３７】
ＩＤデータとして、コンピュータ６が任意に割り当てた数値からなるＩＤデータにとどまらず、例えば来場回数等の顧客管理データとして総合的に管理することに用いてもよい。会員には各個人のデータを登録したＩＣカードを予め支給しておいて、利用状況を管理するようにしておけば便利である。
【図面の簡単な説明】
【００３８】
【図１】この発明の集合型貴重品保管装置の外観を示す斜視図、
【図２】図１に示す装置の操作部のリーダライタにスコアカードホルダーを接近させた状態を示す斜視図、
【図３】図１に示す装置の指紋リーダーを示す斜視図、
【図４】図１に示す装置の操作部のタッチパネルを示す正面図、
【図５】図１に示す装置の操作部の縦断面図、
【図６】図１に示す装置において用いるリーダライタのブロック図、
【図７】図１に示す装置において用いるＲＦＩＤタグを示す概要図である。
【符号の説明】
【００３９】
１  筐体本体
２  収納ボックス
21  扉
22  ランプ
３  操作・表示部
31  タッチパネル
４  リーダライタ
41  リーダライタのアンテナ
42  コントローラー
５  指紋リーダー
６  コンピュータン
７  スコアカードホルダー
８  ＲＦＩＤタグ
81  ＩＣチップ
82  アンテナ
【図１】
0004393438.tif 000002
【図２】
0004393438.tif 000003
【図３】
0004393438.tif 000004
【図４】
0004393438.tif 000005
【図５】
0004393438.tif 000006
【図６】
0004393438.tif 000007
【図７】
0004393438.tif 000008